(57)【特許請求の範囲】
【請求項１】
ダスト濾過用のフイルターとして断面略星形に成形した成形フイルターを用いる集塵機用フイルター装置であって、
中心部に開口を持つフイルターベースプレート上に、全体を円筒状に造った外側成形フイルターを立設し、この外側成形フイルターの内側には、外側成形フイルターより丈を短く形成し、且つ、底部側を外側成形フイルターに近接するように太く、上部側を外側成形フイルターから次第に離れるように細く造った全体がテーパー状の円筒形を成す内側成形フイルターを、同じくフイルターベースプレート上に間隔をあけて同心的に立設する一方、これ等内外二重に構成した成形フイルターの上端部を保持するための段差プレートに、外側成形フイルターの上端部を取付ける外側保持部と、内側成形フイルターの上端部を取付ける内側保持部を、上下二段に成るように段差を持たせて形成し、且つ、これ等内外の各保持部には夫々内外の成形フイルターの上端部を嵌込んで接着するための内外の接着剤用溝を形成すると共に、上記内外の保持部を連結する梁部材に上記内外の接着剤用溝を繋ぐ連通溝を設けたことを特徴とする集塵機用フイルター装置。
【請求項２】
前記内外二重の成形フイルターを立設したフイルターベースプレートの底面側に、円周方向に回動操作自在に構成したハタキ軸を設け、このハタキ軸には、ハタキ軸の回動に従ってハタキ軸を中心に振り子状に動作して上記フイルターベースプレートの底面を交互に打撃することができる左右一対の除塵用ハンマー部材を取付けたことを特徴とする請求項１に記載の集塵機用フイルター装置。
【請求項３】
除塵用ハンマー部材として、プラスチック材を用いて球体状に造ったものを使用するように構成したことを特徴とする請求項２に記載の集塵機用フイルター装置。
【発明の詳細な説明】
【０００１】
【発明の属する技術分野】
本発明は、集塵機に用いるフイルターとして、特に、断面略星形に形成した成形フイルターを使用するフイルター装置に関するものである。
【０００２】
【従来の技術】
集塵機用フイルターとして山部と谷部が交互に連続する断面略星形の成形フイルターを用いるフイルター装置に付いては、例えば、実公平４−６８１１号公報に記載の如く、内外二重構造の成形フイルターを用いるフイルター装置が存在し、また、成形フイルターに付着したダストを払い落す装置に付いても、上記の公報に記載されている圧縮エアーを噴射してダストを払い落すパルスジェット式除塵装置や、特開平１０−２９６０３０号公報に記載されているように、成形フイルターの表面側山の部分を引っ掻くことによって振動させてダストを払い落す振動式除塵装置等が存在する。
【０００３】
【発明が解決しようとする課題】
上記１番目の公報（実行平４−６８１１号）に記載されているフイルター装置は、成形フイルターを内外二重に構成しているため、全体を小型に造れる割に濾過面積が多く得られて、比較的多くの粉塵を捕集できる利点を備えているが、反面、内側の成形フイルターが外側の成形フイルターの内部に平行に、且つ、近接した状態に設けられている関係で、吸引された空気がこれ等内外の成形フイルターの狭い空間（間隔）を通って上昇するため、空気圧損が大きくなって吸引用ブロアーに加わる負担が増大する問題があった。
【０００４】
また、上記１番目の公報に記載されている除塵装置は、圧縮エアーをベンチユリーを通してフイルター内部に吹き込む構造であるため、その分、フイルターの全体が長くなって装置の小型化を図れない問題があり、更に、ベンチュリーを通して噴射される圧縮エアーは、内側の成形フイルターの上面に当って反射してしまうため、内外の成形フイルターが重なった狭い間隔に対して圧縮エアーが入りずらく、従って、高圧の圧縮エアーを充分に噴射せざるをえず、その結果、内外の成形フイルターに対して集塵時の吸引力と除塵時の圧縮力とが繰り返し加わることになって、疲労による損傷が早くなる問題もあった。
【０００５】
次に、上記２番目の公報（特開平１０−２９６０３０号）に記載されている振動式除塵装置は、成形フイルター表面の山の部分をハタキ棒で引っ掻きながら振動させてダストを払い落す仕組のものであって、山の部分、即ち、ヒダの部分を部分的に引っ掻いて振動を与えるものであるから、成形フイルターの全体（特に谷の部分）に振動が直接伝わることがなく、除塵能力が低くて成形フイルターの全体に除塵作用を均一に及ぼすことができない問題があった。
【０００６】
従って本発明の技術的課題は、濾過面積が広い割に成形フイルターの全長を短く造ることができ、含塵空気の吸引と除塵がやり易く、且つ、構造的に丈夫で長持ちすると共に、構造が簡単で容易に製造することができると共に、成形フイルターに付着した粉塵の払い落しを、比較的簡単な構造の払い落し手段を用いて確実に、且つ、成形フイルターの全体に対して均一に及ぼすことができる除塵機能を備えた集塵機用フイルター装置を提供することである。
【０００７】
【課題を解決するための手段】
上記の技術的課題を解決するために本発明で講じた手段は以下の如くである。
【０００８】
ダスト濾過用のフイルターとして断面略星形に成形した成形フイルターを用いる集塵機用フイルター装置であって、
【０００９】
（１）  中心部に開口を持つフイルターベースプレート上に、全体を円筒状に造った外側成形フイルターを立設し、この外側成形フイルターの内側には、外側成形フイルターより丈を短く形成し、且つ、底部側を外側成形フイルターに近接するように太く、上部側を外側成形フイルターから次第に離れるように細く造った全体がテーパー状の円筒形を成す内側成形フイルターを、同じくフイルターベースプレート上に間隔をあけて同心的に立設する一方、これ等内外二重に構成した成形フイルターの上端部を保持するための段差プレートに、外側成形フイルターの上端部を取付ける外側保持部と、内側成形フイルターの上端部を取付ける内側保持部を、上下二段に成るように段差を持たせて形成し、且つ、これ等内外の各保持部には夫々内外の成形フイルターの上端部を嵌込んで接着するための内外の接着剤用溝を形成すると共に、上記内外の保持部を連結する梁部材に上記内外の接着剤用溝を繋ぐ連通溝を設けること。（請求項１）
【００１０】
（２） 前記内外二重の成形フイルターを立設したフイルターベースプレートの底面側に、円周方向に回動操作自在に構成したハタキ軸を設け、このハタキ軸には、ハタキ軸の回動に従ってハタキ軸を中心に振り子状に動作して上記フイルターベースプレートの底面を交互に打撃することができる左右一対の除塵用ハンマー部材を取付けること。（請求項２）
【００１１】
（３） 除塵用ハンマー部材として、プラスチック材を用いて球体状に造ったものを使用するように構成すること。（請求項３）
【００１２】
上記（１）で述べた請求項１に係る手段によれば、フイルターとして断面略星形に形成した成形フイルターを使用し、更に、この成形フイルターを内外二重に構成したので、フイルターの外形寸法を変えることなく一般的なバグフイルター等に比較して濾過面積を著しく増大して、濾過機能の向上とフイルターの小型化を可能にすると共に、内側成形フイルターを上端側が細く、下端側が太いテーパー状に形成して、外側成形フイルターとの間隔を上に行くに従って次第に広がる開口型に構成したので、空気圧損が少なくてブロアーに与える負担を少なくすることができ、また、上方から圧縮エアーを噴射して除塵する場合は、外側成形フイルターの内部容積を内側成形フイルターによって減少できるため、少量の圧縮エアーによって粉塵の払い落しを効果的に行うことができ、更に、圧縮エアーを上記上端口を広く開口した間隔から内外の成形フイルターの下端部に至る迄円滑に、且つ、均等に吹き込むことができるから、内外二重の成形フイルターに対して除塵作用を均一に及ぼすことを可能にする。
【００１３】
また、上記（１）で述べた請求項１に係る手段によれば、フイルターベースプレート上に立設した内外二重に構成した成形フイルターの上端部を、段差プレートの各保持部が保持して内外の間隔を一定に維持するため、風圧によってその間隔が偏ったりすることがなく正規な位置を維持して、常時一定した濾過作用を発揮することができると共に、段差プレートの段差部分には排気口が開口されているため、内外の成形フイルターを通って濾過された浄化空気をこの排気口を通して円滑に排出することを可能にする。
【００１４】
更に上記（１）で述べた請求項１に係る手段によれば、内外二重に構成した成形フイルターの上端部を、段差を持たせて設けた段差プレートの内側保持部と外側保持部内の夫々に接着剤で接着した状態で保持するため、両成形フイルターの保持を確実に行うことができると共に、内外の成形フイルターの各上端部を接着するに当っては、上記の段差プレートを床面や机等の上に表裏を逆さにして置き、各保持部の接着剤用溝に接着剤を流し込んで、これに上下を逆さにした成形フイルターの上端部を嵌込んで接着保持するが、この接着剤の流し込みに際して、接着剤を高い方の接着剤用溝（この場合は内側成形フイルター用の溝）に流し込むだけで、梁部材に設けた連通溝を通して低い方の接着剤用溝（この場合は外側成形フイルター用の溝）にも接着剤が自然に流れ込むため、接着作業を簡略化することを可能にする。
【００１５】
上記（２）で述べた請求項２に係る手段によれば、ハタキ軸を回動操作することによって、前記内外二重の成形フイルターを立設したフイルターベースプレートの底面をハンマー部材でハンマーリング（打撃）して除塵することができるのであるが、その際、ハンマーリングによる振動は成形フイルターの上下方向に伝わるため、断面略星形に形成した成形フイルターのヒダに沿って粉塵を確実に払い落すことができるものであって、フイルターを左右に振動させて払い落す場合に比較して、粉塵をより確実に払い落すことができ、また、振り子運動する左右一対のハンマー部材で左右交互にハンマーリングするため、粉塵の払い落しを更に確実なものとすることができると共に、除塵装置としてエアーエジェクトの必要が無く、また、ベンチュリーの必要もないため、全体を簡単に、且つ、その上下の丈を低く造ることができるものであって、優れた除塵機能を備えた集塵機用フイルター装置を提出することを可能にする。
【００１６】
上記（３）で述べた請求項３に係る手段によれば、成形フイルターの除塵を行うハンマー部材として、プラスチック材を用いて球体状に造ったものを使用するため、フイルターベースプレートを強くハンマーリングしてもこれを破損したり、成形フイルターを破損することがなく、長期に渡って安定した除塵作用を発揮することができる除塵機能を備えた集塵機用フイルター装置を提供することを可能にする。
【００１７】
以上の如くであるから、上記（１）〜（３）の手段によって上述した技術的課題を解決して、前記従来の技術の問題点を解消することができる。
【００１８】
【発明の実施の形態】
以下に、上述した本発明に係る集塵機用フイルター装置の実施の形態を図面と共に説明すると、図１は上記本発明を実施した集塵機の構成を説明した正面図であって、図中符号１で全体的に示した集塵機は、全体を断面略円筒状に形成し、且つ、底部に径を徐々に細く絞ったホッパー部１Ｃを連設したサイクロン本体１Ａと、このサイクロン本体１Ａと同じ断面略円筒状を成し、且つ、上面を天板１Ｄで塞ぐと共に、全体を蝶番を用いてサイクロン本体１Ａの上端部に開閉自在に取付けた上蓋体１Ｂとによって構成されていて、集塵機１の全体は支持脚２，２によって必要な高さに支持されている。
【００１９】
次に、３はサイクロン本体１Ａの周面接線方向に設けた含塵空気の吸引口、４は上記上蓋体１Ｂの天板１Ｄに設けた浄化空気の排出穴、６は上蓋体１Ｂをサイクロン本体１Ａに閉じた状態にロックするノブ、７は上記サイクロン本体１Ａの内部に同心的に設けた内筒体で、底面を開口したこの内筒体７は、サイクロン本体１Ａの上端口に取付けた取付けリング板９′に吊下げた状態に取付けられていて、これ等サイクロン本体１Ａと内筒体７との間に環状に形成されている間隔７Ｒ内に、上記吸引口３から含塵空気が吸引（導入）されて旋回する仕組に成っている。
【００２０】
また、上記吸引口３の近辺を除く上記内筒体７の周面全域には多数の小穴が穿設されていて、上記吸引口３から吸引されて間隔７Ｒ内で旋回しながら下側のホッパー部１Ｃに向けて下がる含塵空気は、降下中にその一部が上記小穴を通って内筒体７の内部に侵入して、下方に向かう含塵空気の量を減らすと共に、旋回の勢いを次第に弱める仕組に成っている。
【００２１】
８は上記内筒体７の内部に同心的に取付けた本発明に係るフイルター装置で、このフイルター装置８は外側成形フイルター８Ａの内部に内側成形フイルター８Ｂを設けた内外二重構造に造られており、また、その上下両端には段差プレート９とフイルターベースプレート１０が取付けられていて、フイルター８の全体はサイクロン本体１Ａの上から上述した取付けリング板９′の穴（図示省略）を通して内筒体７の内部に挿入することによって、上部フイルタープレート９の外周縁を取付けリング板９′の内周縁に懸掛けした状態、即ち、吊下げ状態に取付けられる仕組に成っている。尚、上述したフイルター装置８と各プレート９，１０の詳細な構造は後述することにする。
【００２２】
また、９Ｘは上記上部段差プレート９の上面に突設したリング状の押圧板で、上蓋体１Ｂを開いた状態から図の如くサイクロン本体１Ａ側に閉じた状態にして、ノブ６とロック板７Ｘの間でこの閉じ状態をロックすると、上記上蓋体１Ｂの底面に設けた押圧部１１Ａが上記押圧板９Ｘを上から押え込んで、上記内筒体７の内部に吊下げたフイルター８の全体を保持固定するように構成されている。
【００２３】
１１と１１Ｍは同じく上蓋体１Ｂの内部中心に取付けた吸引用ブロアーとブロアー用モータで、スイッチ操作によりこのモータ１１Ｍを起動回転してブロアー１１を駆動すると、その吸引力が上記の吸引口３に及んで含塵空気をサイクロン本体１Ａ内に取り込み、且つ、これを上記間隔７Ｒで旋回させて、その遠心力によって比較的大きなダストを分離して下側のホッパー部１Ｃに落下させる一方、細かなダストを含んだ空気を上記の小穴を通して内筒体７の内部に導入し、次いでこれを上述したフイルター装置８で濾過して細かなダストを捕集した後、両成形フイルター８Ａ，８Ｂの間隔より段差プレート９の排気穴（後述する）及び上蓋体１Ｂの内部を通って、天板１Ｄの排出穴４から外部に排出される仕組に成っている。
【００２４】
次に、１２は上記サイクロン本体１Ａの下側内部を横切るように回動自在に架設したハタキ軸、１２Ｔはサイクロン本体１Ａの外部に突出したハタキ軸１２の外端部に設けたハタキレバー、１２Ｒ…はハタキ軸１２にアーム１２′，１２′を介して取付けた除塵用のハンマーで、上記のハタキ軸１２をハタキレバー１２Ｔを用いて回動すると、球形のプラスチック材で造った上記のハンマー１２Ｒ…が上記フイルター装置８の底面、具体的には
、フイルターベースプレート１０の底面を打撃して、フイルター装置８に付着したダストをホッパー部１Ｃ側に払い落すように構成されている。
【００２５】
尚、図示した実施例では計４個の除塵用ハンマー１２Ｒ…がフイルター装置８の底面、即ち、フイルターベースプレート１０の底面全体を均等にハンマーリングできるようにハタキ軸１２に位置決めされて取付けられていて、内外の成形フイルター８Ｂ，８Ａに対して除塵作用を均一に及ぼすことができるように構成されているが、除塵用ハンマー１２Ｒの数と取付位置はフイルター装置８の大きさによって変化されるものであって、図示のものに限定されないことは勿論である。
【００２６】
１３は上記ホッパー部１Ｃに落下して来るダストを回収するために、ホッパー部１Ｃの下側部に接続する例えばペール缶の如き捕集容器、１４は全体をホッパー部１Ｃの下端口の外側を囲むように略コ字状に形成して、その各先端部を上記ホッパー部１Ｃの底面に取付けたブラケット１５に軸１４Ｂを用いて上下回動自在に軸支した操作レバーを示す。
【００２７】
また、１６は上記捕集容器１３の上端口を上から塞ぐことができる上蓋カバー体で、このカバー体１６の中央に開口した捕集口と上記ホッパー部１Ｃの下端口の間が、伸縮自在でフレキシブルな素材で略蛇腹状に造った接続筒（図示省略）で気密に接続され、且つ、この上蓋カバー体１６の中間部両側に突設した支持板１６Ｂの上端部が、軸１４Ａを用いて上記操作レバー１４の中間部に回動自在に連結されていて、この操作レバー１４を図示の状態に押し下げると、上蓋カバー体１６が下動して捕集容器１３の上端口を密閉して、捕集容器１３をホッパー部１Ｃ側に気密に接続し、また、操作レバー１４を上に持ち上げると、上蓋カバー体１６が開動して捕集容器１３の上端口を開き、且つ、上下寸法を薄く造った上蓋カバー体１６の先端切欠縁１６Ａ側から捕集容器１３を取り出したり、別な捕集容器１３をリセットしたりすることができるように構成されている。
【００２８】
次に、本発明に係る集塵機用フイルター装置の具体的な構成を図面と共に説明すると、図２はフイルター装置８の平面図、図３はその正断面図であって、前述したようにフイルターベースプレート１０の上面に内外二重に、且つ、同心的に立設した断面略星形に形成した内側と外側の各成形フイルター８Ｂと８Ａのうち、内側成形フイルター８Ｂは、外側成形フイルター８Ａよりも上下の丈が若干短く形成され、底部側の径を外側成形フイルター８Ａの底部内壁に近接するように太く、上部側の径を外側成形フイルター８Ａの内壁から次第に離れるように細く造った全体がテーパー状の円筒形に形成されている。
【００２９】
また、８Ｘは内外二重に構成した成形フイルター８Ｂと８Ａの間隔（空間）で、この間隔８Ｘは上記内側成形フイルター８Ｂのテーパー形状に従って上端口を広く、下端に行くに従って次第に狭くなる形状に成っていて、上記ブロアー１１の吸引作用によって内側成形フイルター８Ｂの内部８Ｈ、及び、外側成形フイルター８Ａの外側から夫々通過して濾過された後、この間隔８Ｘを通って上側に吸引排出される空気の圧損を少なくすることができる仕組に成っている。
【００３０】
更に、上記内外二重に構成した成形フイルター８Ｂ，８Ａの上端部を保持するプラスチック製の段差プレート９の構成を、上記図３と図４乃至図６の記載に従って説明すると、図４は段差プレート９を拡大して示した平面図、図５は図４のＹ−Ｙ線に沿った断面図、図６は段差プレート９の表裏を逆さにした状態、即ち、内外の成形フイルター８Ｂ，８Ａを実際に接着保持する時の状態を示した斜視図であって、これ等の図面に於いて９Ａはリング状（ドーナツ板状）に形成した上段プレート、９Ｂは円形状に形成した下段プレート、９Ｃ…は上下の両プレート９Ａ，９Ｂを上下に段差を持たせた状態で保持する複数本のリブで、９Ｃ′はその各内端部、９Ｄ…は上下のプレート９Ａ，９Ｂの段差の間に形成した濾過済み空気の排出口を示す。
【００３１】
また、９Ｅは上段プレート９Ａに下向きに、且つ、全体をリング状に設けた上記外側成形フイルター８Ａの上端部を保持する外側保持部で、９Ｅ′はその内側に形成した接着剤用溝、９Ｆは下段プレート９Ｂに下向きに、且つ、全体をリング状に設けた上記内側成形フイルター８Ｂの上端部を保持する内側保持部で、９Ｆ′はその内側に形成した接着剤用溝を示す。
【００３２】
更に図中、９Ｋ…は上段プレート９Ａの上面に突設した上記押圧板９Ｘを補強するリブ、９Ｖ…は上記上段プレート９Ａと下段プレート９Ｂとの間に架設した梁部材で、この梁部材９Ｖ…の各底面に上述した外側と内側の保持部９Ｅ，９Ｆに設けた各接着剤用溝９Ｅ′と９Ｆ′の間を結ぶ連通溝９Ｙが形成され、また、各連通溝９Ｙの下部接着剤用溝９Ｆ′に臨む口縁部分には、接着剤の流量を調節する堰９Ｚが設けられている。
【００３３】
以上の如く構成した段差プレート９を用いて実際に内外の成形フイルター８Ｂ，８Ａの上端部を接着保持するには、先ず、段差プレート９の全体を図６に示したように表裏（上下）を逆さにして載置し、次いで、下段プレート９Ｂの（図面では上側に位置する）内側接着剤用溝９Ｆ′内に接着剤を入れると、これが各梁部材９Ｖ…の連通溝９Ｙ…を通って上段プレート９Ａの外側接着剤用溝９Ｅ′（図面では下側に位置する）に流入するため、これ等両接着剤用溝９Ｆ′，９Ｅ′に内外の成形フイルター８Ｂ，８Ａの上端部を上から嵌め込めば、これ等上端部を各保持部９Ｆ，９Ｅ内に接着保持することができる。
【００３４】
また、図７は上記内外の成形フイルター８Ｂ，８Ａを二重にした状態で、且つ、同心的に立設するプラスチック製のフイルターベースプレート１０を拡大して示した平面図、図８はそのＺ−Ｚ線に沿った断面図であって、中央に含塵空気の流入穴１０Ａを開口したこの円形状のフイルターベースプレート１０の上面には、切欠部１０Ｋ…を介在した状態で間隔的に、且つ、円周方向に設けた複数の支持片１０Ｂ…によって、内側成形フイルター８Ｂの下端部を嵌め込んで接着するリング状の内側嵌込部１０Ｆと、外側成形フイルター８Ａの下端部を嵌め込んで接着するリング状の外側嵌込部１０Ｅが、夫々同心的に形成されていて、各嵌込部１０Ｆ，１０Ｅに接着剤を流し込んだ後、各成形フイルター８Ｂ，８Ａの下端部を嵌め込むことによって、各成形フイルター８Ｂ，８Ａを同心的な内外二重構造にして、フイルターベースプレート１０の上に立設できる仕組に成っている。
【００３５】
尚、通常の場合は内外の成形フイルター８Ｂ，８Ａをフイルターベースプレート１０の上に立設した後、これを上下逆さにして各成形フイルター８Ｂ，８Ａの先端を段差プレート９に取付けるが、これ等プレート９，１０の取付順番を逆にしてもよく、その選択は任意とする。
【００３６】
本発明に係る集塵機用フイルター装置は以上述べた如き構成であるから、フイルター装置８として内外二重に構成した成形フイルター８Ｂ，８Ａを用いるため、フイルター装置８の外形寸法を太くすることなくフイルターの濾過面積を増大して、濾過効果の向上を図ることができると共に、フイルター装置８全体のコンパクト化を可能にする。
【００３７】
また、内外の成形フイルター８Ｂ，８Ａの間隔８Ｘが、図３に示すように上に進むに従って次第にその面積を広げる略テーパー形状に造られているため、内側及び外側から流入して濾過された後、両成形フイルター８Ｂ，８Ａの間隔８Ｘを通って排出される空気の圧損が少なく、従って、比較的小型のブロアー１１を用いて含塵空気を効率良く吸引濾過することができる。
【００３８】
更に本発明に係るフイルター装置では、内外の成形フイルター８Ｂ，８Ａの間隔８Ｘとその取付け状態を、上下の段差プレート９とフイルターベースプレート１０の両方によって保持するため、風圧によって間隔８Ｘが偏ったり取付位置が移動してしまうようなこともなく、二重構造のフイルター装置８の特徴を長期に渡って如何なく発揮することができる。
【００３９】
次に、本発明に係る集塵機用フイルター装置によれば、各成形フイルター８Ｂ，８Ａに付着したダストの払い落しを行う除塵作業は、ハタキ軸１２を回動操作して除塵用ハンマー１２Ｒでフイルター装置８のフイルターベースプレート１０の底面をハンマーリングして行うため、フイルター装置８の全体に対して縦方向（上下方向）の振動を与えて、山部と谷部を交互に連設した断面略星形に形成した内外の成形フイルター８Ｂ，８Ａに付着している粉塵を、その山部と谷部に沿って同時に確実に払い落すことができると共に、除塵に際してエアーエジェクト等の必要がないため、装置全体を簡単に、且つ、低コストにて提供することができる。
【００４０】
【発明の効果】
以上述べた次第で、本発明に係る集塵機用フイルター装置によれば、当該装置を例えば図示したような集塵機に実施することによって、優れた集塵機能と除塵機能を発揮できる機能性に富んだ集塵機を提供できるものであって、集塵能力を低下させることなく全体が小型で、而かも、構造が簡単で低コストにて製造が可能な理想的な集塵機を提供することができる利点を備えている。
【図面の簡単な説明】
【図１】本発明に係る集塵機用フイルター装置を実施した集塵機の一例を示した構成図である。
【図２】本発明に係る集塵機用フイルター装置の平面図である。
【図３】同じく集塵機用フイルター装置の構成を説明した正断面図である。
【図４】集塵機用フイルター装置に用いる段差プレートを拡大して示した平面図である。
【図５】図４のＹ−Ｙ線に沿った断面図である。
【図６】段差プレートを表裏を逆さにして示した斜視図である。
【図７】集塵機用フイルター装置に用いるフイルターベースプレートを拡大して示した平面図である。
【図８】図７のＺ−Ｚ線に沿った断面図である。
【符号の説明】
８              フイルター装置
８Ａ            外側成形フイルター
８Ｂ            内側成形フイルター
８Ｘ            間隔
９              段差プレート
９Ａ            上段プレート
９Ｂ            下段プレート
９Ｄ            排出口
９Ｅ            外側保持部
９Ｆ            内側保持部
９Ｅ′，９Ｆ′  接着剤用溝
９Ｖ            梁部材
９Ｙ            連結溝
９Ｚ            堰
１０            フイルターベースプレート
１０Ａ          含塵空気の流入穴
１２            ハタキ軸
１２Ｒ          除塵用ハンマー
【図１】
0003634212.tif 000002
【図２】
0003634212.tif 000003
【図３】
0003634212.tif 000004
【図４】
0003634212.tif 000005
【図５】
0003634212.tif 000006
【図６】
0003634212.tif 000007
【図７】
0003634212.tif 000008
【図８】
0003634212.tif 000009